(57)【要約】      （修正有）【課題】ユーザの健康状態を積極的に向上させるサプリマスクを提供する。【解決手段】このサプリマスクは、素材としてガーゼや不織布等が用いられたマスク本体と、マスク本体の中央部に設けたサプリ保持部と、マスク本体の周縁近傍に設けた仮固定部と、マスク本体の両側に設けた掛け紐とからなる。サプリ袋５は、内部に粉末状のサプリメント粉６が封入された構成であり、内側不織布層１１を引き上げて内部の保持層１２を露出させ、サプリメント粉６を保持層１２の表面に振りかける。そして、内側不織布層１１を保持層１２の上に被せるようにして戻し、仮固定部により内側不織布層１１と外側不織布層１３とを固定する。このサプリマスクを装着することで微量のサプリメント粉６を吸入できる。吸入の効能は、サプリメント粉６の種類によるものとなる。【選択図】図４
0003207393.tif 000002
【実用新案登録請求の範囲】
【請求項１】
通気性のある布を複数枚積層してなるマスク本体と、
前記布と布との間にサプリメント粉を絡め保持する綿体を配置した保持層を有するサプリ保持部と、
を備えたことを特徴とするサプリマスク。
【請求項２】
前記マスク本体の前記サプリ保持部の周囲には、前記布どうしを着脱可能とする仮固定部が設けられていることを特徴とする請求項１に記載のサプリマスク。
【考案の詳細な説明】
【技術分野】
【０００１】
本考案は、使用によりサプリメントを摂取できるサプリマスクに関する。
【背景技術】
【０００２】
従来から特許文献１に記載されているような衛生マスクが知られている。この衛生マスクは、細菌や花粉に対するバリア性を持たせた点に特徴がある。この衛生マスクは、その顔面被覆部分が、基材層１とナノファイバ層とが積層された積層シートから構成されており、前記基材層は、ナノファイバ層の片面又は両面に積層されると共に多数の貫通孔を有する構成となっている。前記積層シートのナノファイバ層は、繊維径３５０ｎｍ以下のナノファイバからなる。
【先行技術文献】
【非特許文献】
【０００３】
【特許文献１】特開２０１６−６９７８７号公報
【考案の概要】
【考案が解決しようとする課題】
【０００４】
しかしながら、上記特許文献１に記載された衛生マスクは、単に細菌や花粉からのバリア性を持たせた点のみに特徴があり、ユーザの健康状態を積極的に向上させることはできないという問題点がある。本考案は、上記に鑑みてなされたものである。
【課題を解決するための手段】
【０００５】
上述した課題を解決し、目的を達成するために、本考案に係るサプリマスクは、通気性のある布を複数枚積層してなるマスク本体と、前記布と布との間にサプリメント粉を絡め保持する綿体を配置した保持層を有するサプリ保持部とを備えたことを特徴とする。
【０００６】
なお、前記マスク本体の前記サプリ保持部の周囲には、前記布どうしを着脱可能とする仮固定部が設けるのが好ましい。
【０００７】
係るサプリマスクによれば、サプリメント粉を綿体で絡め保持すると共に呼吸により吸引したり、サプリメント粉の成分を取り込むことができるので、ユーザの健康を積極的に増進できる。
【図面の簡単な説明】
【０００８】
【図１】本考案の実施の形態１に係るサプリマスクを示す斜視図である。
【図２】マスク本体の一部断面図である。
【図３】本考案のサプリマスクに用いるサプリ袋を示す説明図である。
【図４】このサプリマスクの使用方法を示す説明図である。
【図５】このサプリマスクの使用方法を示す説明図である。
【図６】このサプリマスクの使用方法を示す説明図である。
【考案を実施するための形態】
【０００９】
図１は、本考案の実施の形態に係るサプリマスクを示す斜視図である。このサプリマスク１００は、素材としてガーゼや不織布等が用いられたマスク本体１と、マスク本体１の中央部に設けたサプリ保持部２と、マスク本体１の周縁近傍に設けた仮固定部３と、前記マスク本体１の両側に設けた掛け紐４とからなる。
【００１０】
図２は、マスク本体の一部断面図である。マスク本体１は、内側不織布層１１と、保持層１２と、外側不織布層１３とを備えている。また、マスク本体１は矩形であり、その三辺近傍（上辺及び側辺であってサプリ保持部の周囲）には、図１に示すように、面テープ等の仮固定部３が帯状に設けられている。また、当該仮固定部３は、前記内側不織布層１１と外側不織布層１３との間に設けられる。仮固定部３により三辺を閉じた場合には、保持層１２を前記内側不織布層１１及び外側不織布層１３により挟んで包み込むような恰好になる。下辺は前記内側不織布層１１と外側不織布層１３とが固定されている。
【００１１】
前記サプリ保持部２は、内側不織布層１１と、保持層１２と、外側不織布層１３とにより構成される。保持層１２は、サプリメント粉６を絡めて保持するための綿体１４により構成される。綿体１４は、繊維状のものがからみあって塊になっているものであり、本考案において繊維の種類は問わない。絹、麻、羊毛、合成繊維のものを適宜使用できる。綿体１４は、サプリメント粉６の保持に用いるものであり、保温等の用途ではないため、内側不織布層１１の表面に対して、薄く展開して貼り付けるようにするのが好ましい。綿体１４を用いることで、サプリメント粉６を簡単に絡め保持でき且つ呼吸時にサプリメント粉６が綿体１４から外れて吸入可能となる。
【００１２】
前記内側不織布層１１及び外側不織布層１３には、通気性が高い密度のものを用いる。例えば、ポリ乳酸や特殊ポリプロピレンから作られた極細繊維を集成した薄手の不織布フィルターを用いる。
【００１３】
図３は、本考案のサプリマスクに用いるサプリ袋を示す説明図である。このサプリ袋５は、内部に粉末状のサプリメント粉６が封入された構成である（図中の破断図示の部分に示す）。サプリメント粉６は、例えば、次の素材を細かく粉砕して所定粒径の粉末状にしたものである。
（１）ニンニク
（２）ハーブ
（３）高麗人参
【００１４】
ニンニクの効能は、抗菌、ガン予防（特に食道、胃、腸などの消化器系の予防）である。また、疲労回復  強壮、強精作用（細胞の酸化を防いだり、新陳代謝を高めて疲労回復を促す作用）やアンチエイジング作用（老化を防いで老廃物を除去する成分により、肌をきれいにして若さを保つこと）、高い殺菌効果、風邪予防、冷え性の改善が期待できる。
【００１５】
ハーブの効能は、ハーブの種類による。例えば、次のようなハーブをサプリメント粉６として使用できる。
ボルトジンユ：花粉症、糖尿病、血糖値、メタボの改善
バーべインブルー：神経の強壮効果、疲れて眠れない夜の鎮静効果
キャンディミント：鎮静作用、胃もたれ・むかつきの緩和
ムスクマロウ  ピンクムスクマロウ：気管支炎、胃腸障害の緩和
ヒソップブルー：咳止め、疲労回復
レディースマントル：のどの痛みや口内の炎症の緩和
バレリアン（セイヨウカノコソウ）：その香りが睡眠をサポート
【００１６】
高麗人参は万能薬として知られていることから、サプリメント粉６として吸入することで様々な効果が期待できる。
【００１７】
前記サプリ袋５は、サプリメント粉６を手軽に扱うために適量を単位として当該サプリメント粉６を封入している。当該サプリ袋５は、紙製又は合成樹脂フィルムを袋状にした長尺なスティック形状である。端部は、容易に切断できるように公知の処理や切り込みが適用されている（図示省略）。
【００１８】
図４は、このサプリマスクの使用方法を示す説明図である。まず、仮固定部３により外側不織布層１３と固定されている内側不織布層１１を引き上げて内部の保持層１２を露出させる。サプリ袋５の端部を切断し、内部のサプリメント粉６を前記保持層１２の表面に振りかける。保持層１２は、綿体１４により構成されているので当該保持層１２の上にサプリメント粉６を振り掛けると、当該サプリメント粉６が綿体１４に絡み、保持される。サプリメント粉６は、保持層１２に対してまんべんなく振りかけるのが好ましい。なお、振りかけるサプリメント粉６は、１種類ではなくても良い。複数種類のサプリメント粉６を保持層１２に振りかけても良いし、保持層１２の一部に一つのサプリメント粉６を振りかけ、他部に別のサプリメント粉６を振りかけても良い（図示省略）。
【００１９】
次に、内側不織布層１１を保持層１２の上に被せるようにして戻し、仮固定部３により前記内側不織布層１１と外側不織布層１３とを固定する。これにより、図５及び図６に示すように、内側不織布層１１と外側不織布層１３との間の保持層１２に、サプリメント粉６が保持されることになる。
【００２０】
内側不織布層１１、外側不織布層１３及び保持層１２は、高い通気性を有していることから、外側から空気を吸い込むときにサプリメント粉６を微量に吸い込むことになり、当該サプリメント粉６を口や鼻から効率よく体内に取り入れることが可能となる。
【００２１】
以上、本考案に係るサプリマスク１００によれば、サプリマスク１００を装着することで微量のサプリメント粉６を簡単に吸入できる。吸入の効能は、サプリメント粉６の種類によるものとなる。なお、サプリメント粉６は、予め保持層にて保持した構造としても良い。その場合、仮固定部は任意に設けるものとする。また、サプリメント粉６は、サプリ袋５に封入したものでなくても良い。例えば、瓶等に入れたものをふりかけるようにしても良い。
【符号の説明】
【００２２】
１００  サプリマスク
１  マスク本体
２  サプリ保持部
３  仮固定部
４  掛け紐
５  サプリ袋
６  サプリメント粉
【図１】
0003207393.tif 000003
【図２】
0003207393.tif 000004
【図３】
0003207393.tif 000005
【図４】
0003207393.tif 000006
【図５】
0003207393.tif 000007
【図６】
0003207393.tif 000008